(57)【要約】【課題】本発明は上記の問題を解決するためになされたものであり、ディスクアットワンスモードで記録したＤＶＤ−ＲＷディスクでも、データエリアに記録されたデータを消去することなく追記や書き換えを行なうことができる光ディスク記録装置を提供する。【解決手段】データの再起録画可能なＤＶＤ−ＲＷディスクに対して、記録する光ディスク装置であって、ディスクアットワンスモードで記録された前記ＤＶＤ−ＲＷディスクのデータエリア部を残したままレコーディングマネージメントデータに記録されている情報を書換えて、リストリクティッドオーバライトモードに変更するモード書換え手段を具備する。【選択図】      図１
2004326942.tif 000002
【特許請求の範囲】
【請求項１】
データの再記録が可能なＤＶＤ−ＲＷディスクに対して、データを記録する光ディスク装置であって、
ディスクアットワンスモードで記録された前記ＤＶＤ−ＲＷディスクのデータエリア部を残したままレコーディングマネージメントデータに記録されている情報を書換えて、リストリクティッドオーバライトモードに変更するモード書換え手段を具備することを特徴とする光ディスク記録装置。
【請求項２】
前記レコーディングマネージメントデータには、一度書き込みを行うと追記或いは書換えを不可とするディスクアットワンスモードと、何度も書換え或いは追記を可とするリストリクティッドオーバライトモードを表す情報を有する請求項１記載の光ディスク記録装置。
【発明の詳細な説明】
【０００１】
【発明の属する技術分野】
本発明は、光ディスク記録装置に関する。
【０００２】
【従来の技術】
ＤＶＤ−ＲＷディスクには複数の書き込み方式があり、目的によって書き込み方式を使い分けることができる。
主な書き込み方式には、一度書き込むと書き換えや追記のできないディスクアットワンスモードと、フォーマットを行なうことにより書き換えや追記が何度もできるリストリクティッドオーバライトモードがある。
【０００３】
しかしながらＤＶＤ−ＲＷのディスクそのものは物理的には上書き及び消去が可能なメディアである。したがって最初にディスクをフォーマットしてリストリクトティドオーバライトモードで記録することにより、自由に何度も追記や任意のブロックの書き換えを行なうことができる。
【０００４】
一方でディスクをディスクアットワンスモードで記録した場合は、予めフォーマットする必要はないが論理フォーマットの規格上の制限から追記や書き換えを行なうことができない。したがってディスクアットワンスモードで記録したディスクの内容に追記したり書き換えたりする場合には、ディスクをいったん消去してから改めて全てのデータを記録しなおさなければならないという問題がある。
【０００５】
また、特許文献１には、データの再記録が可能なＣＤ−ＲＷにおいて、一度データの追記を不可能にしてしまった後に、追記可能とする技術が記載されている。
【特許文献１】
特開平１１−２３８３１２号公報
【０００６】
【発明が解決しようとする課題】
上述したように、従来の光ディスク記録装置では、ディスクアットワンスモードで記録したＤＶＤ−ＲＷディスクについて、データエリアに記録した内容を一旦消去しなければ書換え或いは追記をすることができなかった。
【０００７】
本発明は上記の問題を解決するためになされたものであり、ディスクアットワンスモードで記録したＤＶＤ−ＲＷディスクでも、データエリアに記録されたデータを消去することなく追記や書き換えを行なうことができる光ディスク記録装置を提供することを目的とする。
【０００８】
【課題を解決するための手段】
上記目的を達成するために、本発明は、データの再記録が可能なＤＶＤ−ＲＷディスクに対して、データ記録する光ディスク装置であって、
ディスクアットワンスモードで記録された前記ＤＶＤ−ＲＷディスクのデータエリア部を残したままレコーディングマネージメントデータに記録されている情報を書換えて、リストリクティッドオーバライトモードに変更するモード書換え手段を具備することを特徴とする光ディスク記録装置を提供する。
【０００９】
前記レコーディングマネージメントデータには、一度書き込みを行うと追記或いは書換えを不可とするディスクアットワンスモードと、何度も書換え或いは追記を可とするリストリクティッドオーバライトモードを表す情報を有する。
【００１０】
【発明の実施の形態】
以下、本発明の実施形態について図面を用いて詳細に説明する。なお、本発明は、以下の実施形態に限定されるものではない。
図１は、本発明の実施形態に係わる光ディスク記録再生装置の概念図である。
図１に示すように、この光ディスク記録装置５は、ホストコンピュータ８からの命令により光ディスク６に情報を記録或いは再生する制御部７を具備している。
ここでは図示していないが、光ディスク装置５は、ＤＶＤ−ＲＷディスク６を回転させるスピンドルモータ、ＤＶＤ−ＲＷディスクに光を照射する半導体レーザと反射光を受光する受光素子とからなる光ピックアップ部をもっている。
【００１１】
光ディスク装置５は外部インターフェースを会してホストコンピュータ８から受け取った命令を制御部７で処理する。制御部７はＤＶＤ−ＲＷディスク６に記録されている情報の読み取り及び情報の書き換えを行なう。
【００１２】
ＤＶＤ−ＲＷディスク６はモータによって回転させられながら光ピックアップがＤＶＤ−ＲＷディスク６の半径方向に移動させられる。光ピックアップの半導体レーザからレーザ光がディスク６のデータエリア上に照射されて記録の読み取り、書換えが行われる。
【００１３】
図２はディスクアットワンスモードによって記録された、記録済みＤＶＤ−ＲＷディスク６のトラック構成を示すブロック図である。
図２に示すように、このディスクアットワンスモードによって記録された記録済みＤＶＤ−ＲＷディスクには、記録情報格納部１（ＲＭＤ（レコーディングマネージメントデータ）、リードイン部２、データエリア部３、リードアウト部４がこの順に形成されている。
【００１４】
このうち記録情報格納部１には、そのＤＶＤ−ＲＷディスクがどの書き込み方式で記録されているかの情報が格納されている。ここではディスクアットワンスモードで記録されている情報が格納されている。また、情報記録格納部１には書き込み方式の他に記録範囲や記録ドライブといった、ＤＶＤ−ＲＷメディアの記録に関する情報が全て集約されている。
【００１５】
リードイン部２とリードアウト部４には書き込み方式に応じて適切な情報が記録されている。
そしてデータエリア部３には実際のファイル等が記録されており、書き込み方式による違いは無い。
データエリア部３に記録されている情報は、書き込み方式によって、読み取りのみできる場合と読み取り及び書き換えができる場合とがある。
図１に示した光ディスク記録装置５はディスク６を認識する時に、まず記録情報格納部１部に記録されている書き込み方式の情報を制御部７によって読み取り、ディスクアットワンスモードで記録されているかリストリクティッドオーバライトモードで記録されているかを判別する。
【００１６】
読み取った書き込み方式がディスクアットワンスモードの場合は、データエリア部に記録されている情報を読み取ることはできるが、書き換えることはできない。リストリクティッドオーバライトモードの場合は、データエリア部に記録されている情報の読み取りと書き換えを行なうことができる。
【００１７】
図３に、ホストコンピュータ８から書き込み方式変更命令を送られてきた場合の光ディスク装置５の動作を説明するフローチャートを示す。
図３に示すように、まず、ホストコンピュータ８から書き込み方式変更命令が出されると、光ディスク装置５に装着されている光ディスク６がディスクアットワンスモードで記録されているかどうか判別する。そしてディスクアットワンスモードで記録されているＤＶＤ−ＲＷディスクではない場合はエラーで終了する。
【００１８】
ディスクアットワンスモードで記録されているＤＶＤ−ＲＷディスクが装着されていると判別した場合は、記録情報格納部１に記録されている書き込み方式の情報をリストリクティッドオーバライトモードに変更して書き換える。
【００１９】
このときリードイン部２とリードアウト部４には書き込み方式に関する情報は無いため書き換える必要は無い。
これにより記録情報格納部１のみを書き換えるだけで、ディスクアットワンスモードで記録されているＤＶＤ−ＲＷディスクのデータエリア部に記録されている情報を残したまま、書き込み方式をリストリクティッドオーバライトモードに変更することができる。
【００２０】
このようなＤＶＤ−ＲＷディスクのＲＭＤに記録されている書き込みモードを書換える手段を具備することによって、書き込み方式をリストリクティッドオーバライトモードに変更したＤＶＤ−ＲＷディスクは、データエリア部２の情報を書換え及び追記を行なうことができるようになる。
【００２１】
【発明の効果】
ディスクアットワンスモードで記録したＤＶＤ−ＲＷディスクでも、データエリアに記録されたデータを消去することなく追記や書き換えを行なうことができる光ディスク記録装置を提供することができる。
【図面の簡単な説明】
【図１】本発明の実施形態に係わる光ディスク記録装置の概念図。
【図２】本発明の実施形態に係わるＤＶＤ−ＲＷディスクのトラック構成図。
【図３】本発明の光ディスク記録装置を用いてＤＶＤ−ＲＷディスクの書き込みモードをディスクアットワンスモードからリストリクティッドオーバライトモードに変更するためのフローチャート。
【符号の説明】
１・・・記録情報格納部
２・・・リードイン部
３・・・データエリア部
４・・・リードアウト部
５・・・光ディスク装置
６・・・光ディスク
７・・・制御部
８・・・ホストコンピュータ
【図１】
2004326942.tif 000003
【図２】
2004326942.tif 000004
【図３】
2004326942.tif 000005